(57)【特許請求の範囲】
【請求項１】
排水管と衛生機器を接続する排水接続管において、前記排水接続管は可撓性のある軟質部材と前記軟質部材とは別体の硬質の接続部材とからなり、前記軟質部材は少なくとも一方の端部に内側に延出するひだ部を備え、前記接続部材が前記排水管または前記衛生機器に接続されるパイプ部と外側に延出するフランジ部と前記パイプ部の外周に突起を備え、該フランジ部が前記軟質部材のひだ部に内包されフランジ部と前記突起の間に前記ひだ部先端を収納したことていることを特徴とする排水接続管。
【請求項２】
前記接続部材は、パイプ部に第２のフランジを設け、前記フランジ部と前記第２フランジの間に前記軟質部材のひだ部先端を収納したことを特徴とする請求項１に記載の排水接続管。
【請求項３】
前記第２のフランジが、前記接続部材と別体で設けられ、前記軟質部材と前記接続部材を接合した後、後付けできることを特徴とする請求項２に記載の排水接続管。
【請求項４】
前記軟質部材が蛇腹状となっていることを特徴とする請求項１から３のいずれかに記載の排水接続管。
【請求項５】
前記軟質部材が軟質塩化ビニル、エチレン酢酸ビニルポリマーをはじめとする熱可塑性エラストマーまたは合成ゴムからなることを特徴とする請求項１から４のいずれかに記載の排水接続管。
【請求項６】
請求項１に記載の排水接続管を用いて排水管と衛生機器を接続する排水接続構造において、前記接続部材のパイプ部を前記排水管または前記衛生機器の接続部に挿入し、前記接続部材と前記排水管または前記衛生機器を接着固定したことを特徴とする排水接続構造。
【請求項７】
請求項２に記載の排水接続管を用いて排水管と衛生機器を接続する排水接続構造において、前記軟質部材と前記第２のフランジを可撓性のある弾性接着剤で固定止水処理したことを特徴とする排水接続構造。
【請求項８】
請求項１に記載の排水接続管を用いて排水管と衛生機器を接続する排水接続構造において、前記軟質部材と前記排水管または前記衛生機器の接続部を可撓性のある弾性接着剤で固定止水処理したことを特徴とする排水接続構造。
【発明の詳細な説明】
【０００１】
【発明の属する技術分野】
本発明は、排水管と衛生機器を接続する軟質排水接続管および排水接続管の接続構造に関する。
【０００２】
【従来の技術】
これまで、軟質部材からなる排水接続管は熱可塑性エラストマーまたは合成ゴムによる一体成形により形成され、排水管や衛生機器の突出する接続部に被うように接続し外側からバンドで固定している。
【０００３】
【発明が解決しようとする課題】
軟質部材からなる排水接続管は、排水管や衛生機器の突出する接続部に被うように接続し外側からバンドで固定するために必要な所定寸法の突出する接続部が必要となる。このため、排水管と衛生機器の接続寸法が短い場合に突出する接続部が設けられずに軟質部材が取付けられなかったり、軟質部材の長さが短くなってしまい十分な追従性能が得られなかったりする問題が生じる。
【０００４】
本発明は、上記課題を解決するためになされたもので、本発明の目的は、排水管と衛生機器との接続寸法が短い接続であっても接続でき、可撓性のある軟質部材の特性を生かした十分な追従性能を有する排水接続管および排水接続構造を提供することにある。
【０００５】
【課題を解決するための手段】
上記目的を達成するために請求項１の発明は、排水管と衛生機器を接続する排水接続管において、前記排水接続管は可撓性のある軟質部材と前記軟質部材とは別体の硬質の接続部材とからなり、前記軟質部材は少なくとも一方の端部に内側に延出するひだ部を備え、前記接続部材が前記排水管または前記衛生機器に接続されるパイプ部と外側に延出するフランジ部とを備え、該フランジ部が前記軟質部材のひだ部に内包されていることを特徴とする。
排水接続管の少なくとも一方の接続部を硬質の接続部材としたので、排水管または衛生機器への接続作業の際に作業性の向上図られる。また、接続部材と軟質部材の結合が接続部材のフランジ部を軟質部材のひだ部に内包するようにしたのでバンドで固定しなくても接続部材が軟質部材からはずれる心配のない排水接続管が提供できる。
【０００６】
さらに、前記パイプ部の外周に突起を設け、フランジ部と前記突起の間に前記ひだ部先端を収納したことを特徴とする。ひだ部先端をフランジ部と突起の間に収納するので、ひだ部先端を所定の位置に固定でき、接続作業の際に作業性の向上が図られる。
【０００７】
請求項２の発明は、前記接続部材は、パイプ部に第２のフランジを設け、前記フランジ部と前記第２フランジの間に前記軟質部材のひだ部先端を収納したことを特徴とする。パイプ部に第２のフランジを設けたことにより第２のフランジと軟質部材とを接着すればよいため、より信頼性の高い接着が可能となる。
【０００８】
請求項３の発明は、前記第２のフランジが、前記接続部材と別体で設けられ、前記軟質部材と前記接続部材を接合した後、後付けできることを特徴とする。第２のフランジを接続部材と別体とし後付けできるようにしたので、接合部材と軟質部材を結合させる際の作業性の向上が図られる。
【０００９】
請求項４の発明は、前記軟質部材が蛇腹状となっていることを特徴とする。軟質部材を蛇腹状としたので、追従性能が大きくなり配管や衛生機器の取付位置が多少ズレても接続可能な排水接続管が提供できる。
【００１０】
請求項５の発明は、前記軟質部材が軟質塩化ビニル、エチレン酢酸ビニルポリマーをはじめとする熱可塑性エラストマーまたは合成ゴムからなることを特徴とする。軟質部材を軟質塩化ビニル、エチレン酢酸ビニルポリマーをはじめとする熱可塑性エラストマーまたは合成ゴム製としたので、配管や衛生機器の位置が多少ズレても接続可能となる。
【００１１】
請求項６の発明は、前記接続部材のパイプ部を前記排水管または前記衛生機器の接続部に挿入し、前記接続部材と前記排水管または前記衛生機器を接着固定したことを特徴とする。排水管または前記衛生機器の接続部に硬質部材のパイプ部を挿入して接着固定することとしたので、突出する接続部が不要となり排水管と衛生機器の接続寸法が短い場合でも接続することができる。
【００１２】
請求項７の発明は、前記軟質部材と前記第２のフランジを可撓性のある弾性接着剤で固定止水処理したことを特徴とする。軟質部材と第２のフランジを可撓性のある弾性接着剤で固定止水処理することとしたので、排水接続管に外因が加わって動くことがあっても接続部から漏水することのない排水接続管の接続構造が提供できる。
【００１３】
請求項８の発明は、前記軟質部材と前記排水管または前記衛生機器の接続部を可撓性のある弾性接着剤で固定止水処理したことを特徴とする。軟質部材と排水管または衛生機器の接続部を可撓性のある弾性接着剤で固定止水処理することとしたので、排水接続管に外因が加わって動くことがあっても接続部から漏水することのない排水接続管の接続構造が提供できる。
【００１４】
【発明の実施の形態】
本発明の好適な一実施例を以下に示す。
図１は、本発明の一実施例の排水接続管である。
この排水接続管は、衛生機器（たとえば、大便器、小便器、など）と、衛生機器から出る汚水を排出するための排水管とを接続するためのものであり、可撓性のある軟質部材１とこれと別体の硬質の接続部材２とから構成されている。
そして、軟質部材１は端部に内側に延出するひだ部４を有している。接続部材２は外側に延出するフランジ部５とパイプ部６とからなる。フランジ部５はひだ部４に内包されている。
このような軟質部材１と接続部材２との構成を軟質部材１の少なくとも一端部に設けている。なお、排水管と衛生機器の配置を考慮して、軟質部材１の両端部を上述する構成として接続部材２を設けてもよい。
【００１５】
図２は、本発明における別の一実施例の排水接続管である。
この排水接続管は、図１の排水接続管に対して、さらに接続部材２のパイプ部６の外周に突起７を設けフランジ部５と突起７・第２のフランジ８の間にひだ部４の先端を収納している。
なお、第２のフランジ８は接続部材２と別体で設けてもよい。また、接続部材２のパイプ部６の外周に突起７を設けずに第２のフランジ８を設け、フランジ部５と第２のフランジ８の間にひだ部４の先端を収納してもよい。この時、第２のフランジ８を接続部材２と別体で設けると、フランジ部５と第２のフランジ８でひだ部４を挟み込むことで強固に接着することができる。
【００１６】
図３は、本発明における別の一実施例の排水接続管である。
図２における軟質部材１が蛇腹状になっている。なお、図１における軟質部材１も同様に蛇腹状とすることができる。
【００１７】
図４は、図３の排水接続管を用いた場合の排水接続構造であり、軟質部材１と第２のフランジ８を弾性接着剤１１で固定した実施例である。
接続部材２のパイプ部６の外周に突起７を設けたことにより弾性接着材を充填するのに十分な空間を確保し、第２のフランジ８を設けたことにより十分な弾性接着材１１の接着面を確保している。さらに排水管３の接続部９に接続部材２のパイプ部６を挿入している。挿入にあっては、パイプ部６の外周または排水管３の接続部９の内面に接着剤１０を塗布しておく。
【００１８】
図５は、本発明における別の一実施例の排水接続構造であり、軟質部材１と排水管３を弾性接着剤１１で固定したものである。軟質部材１と排水管３を接着することにより十分な弾性接着材１１の接着面を確保している。
たとえば、弾性接着剤１１は、シリコーン系、変成シリコーン系、エポキシ変成シリコーン系、ウレタン系などを用いるとよい。
なお、図４、５においては、排水管３と排水接続管との排水接続構造を例に挙げて説明したが、衛生機器と排水接続管との排水接続構造も同様の構造を取ることが出来る。
【００１９】
図６は、本発明の排水管と衛生機器とを接続する排水接続管の接続構造の実施例を表す全体図である。図６においては衛生機器１２が大便器の場合であり、大便器内を洗浄した汚水を排水するために、可撓性のある軟質部材１と前記軟質部材１とは別体の硬質の接続部材２とからなる排水接続管により、排水管３と衛生機器１２の接続部１３が接続されている。衛生機器１２の接続部１３は、本図のように衛生機器１２と別体に設けてもよいし、衛生機器１２と一体でもよい。
本発明は、大便器のような汚水（汚物を含む）を排水する場合には、漏水したときの異臭ならびに汚損の被害を考えると、特に効果を奏すると言える。
【００２０】
なお、上述した軟質部材１の材質は、いずれも軟質塩化ビニル、エチレン酢酸ビニルポリマーをはじめとする熱可塑性エラストマーまたは合成ゴムとすることが好ましい。
【００２１】
【発明の効果】
本発明は上記構成により次の効果を発揮する。
請求項１では、排水接続管の少なくとも一方の接続部を硬質の接続部材としたので排水管または衛生機器への接続作業の際に作業性のよい、また、接続部材と軟質部材の結合が接続部材のフランジ部を軟質部材のひだ部に内包するようにしたのでバンドで固定しなくても接続部材が軟質部材からはずれる心配のない排水接続管が提供できる。
【００２２】
請求項２では、ひだ部先端をフランジ部と突起の間に収納するので、ひだ部先端を所定の位置に固定でき、接続作業の際に作業性の向上が図られる。
【００２３】
請求項３では、パイプ部に第２のフランジを設けたことにより第２のフランジと軟質部材とを接着すればよいため、より信頼性の高い接着が可能となる。
【００２４】
請求項４では、第２のフランジを接続部材と別体とし後付けできるようにしたので、接合部材と軟質部材を結合させる際の作業性の向上が図られる。
【００２５】
請求項５では、軟質部材を蛇腹状としたので、追従性能が大きくなり配管や衛生機器の取付位置が多少ズレても接続可能な排水接続管が提供できる。
【００２６】
請求項６では、軟質部材を軟質塩化ビニル、エチレン酢酸ビニルポリマーをはじめとする熱可塑性エラストマーまたは合成ゴム製としたので、配管や衛生機器の位置が多少ズレても接続可能となる。
【００２７】
請求項７では、排水管または前記衛生機器の接続部に硬質部材のパイプ部を挿入して接着固定することとしたので、突出する接続部が不要となり排水管と衛生機器の接続寸法が短い場合でも接続することができる。
【００２８】
請求項８では、軟質部材と第２のフランジを可撓性のある弾性接着剤で固定止水処理することとしたので、排水接続管に外因が加わって動くことがあっても接続部から漏水することのない排水接続管の接続構造が提供できる。
【００２９】
請求項９では、軟質部材と排水管または衛生機器の接続部を可撓性のある弾性接着剤で固定止水処理することとしたので、排水接続管に外因が加わって動くことがあっても接続部から漏水することのない排水接続管の接続構造が提供できる。
【図面の簡単な説明】
【図１】  本発明の好適な一実施例の排水接続管を示す断面図
【図２】  本発明の好適な別の一実施例の排水接続管を示す断面図
【図３】  本発明の好適な別の一実施例の排水接続管を示す断面図
【図４】  本発明の好適な一実施例の排水接続構造を示す断面図
【図５】  本発明の好適な別の一実施例の排水接続構造を示す示す断面図
【図６】  本発明の好適な別の一実施例の排水接続構造を示す示す断面図
【符号の説明】
１…軟質部材
２…接続部材
３…排水管
４…ひだ部
５…フランジ部
６…パイプ部
７…突起
８…第２のフランジ
９…排水管の接続部
１０…接着剤
１１…弾性接着剤
１２…衛生機器
１３…衛生機器の接続部
【図１】
0004565421.tif 000002
【図２】
0004565421.tif 000003
【図３】
0004565421.tif 000004
【図４】
0004565421.tif 000005
【図５】
0004565421.tif 000006
【図６】
0004565421.tif 000007